【事件の表示】
　特許第３２０８４９６号「茶生葉管理機における取出部閉鎖装置」の請求項１ないし４に係る特許に対する特許異議の申立てについて、次のとおり決定する。
【結　論】
　訂正を認める。
　特許第３２０８４９６号の請求項１ないし４に係る特許を維持する。
【理　由】
１．手続の経緯
　本件特許第３２０８４９６号の請求項１ないし４に係る発明についての出願は、平成４年２月５日に特許出願され、平成１３年７月１３日にその発明について特許権の設定登録がなされ、その後、本件請求項１ないし４に係る発明の特許に対し、異議申立人株式会社寺田製作所より特許異議の申立てがなされ、取消の理由が通知され、その指定期間内である平成１４年１０月１５日に訂正請求がなされたものである。
　
２．訂正の適否についての判断
２−１．訂正の内容
（１） 訂正事項ａ
　特許請求の範囲の請求項１について、「スラットコンベヤ状のムーブフロアとその両側部から立ち上がる側板とを具えて成るコンテナ本体の取出端部に、巻取ドラムに巻き取られるとともに、繰り出し状態においてコンテナ本体の取出端部を閉鎖するシャッタ本体を設けたことを特徴とする茶生葉管理機における取出部閉鎖装置。」を、
「スラットコンベヤ状のムーブフロアと
、
、内部に茶生葉を貯蔵できるようにした
側
　巻取ドラムに巻き取られるとともに、
ほぼ垂直に
た
、
　
更にこのシャッタ本体は、軸そのものが回転しながら且つ全体が上下に一定範囲昇降動する掻取軸と、貯蔵茶生葉との間を仕切るように配置されるものであり、
　
またこの掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され、
　
コンテナ本体における取出端部側の省スペース化を達成するようにし
　
（２）訂正事項ｂ
　明細書の段落【０００４】の記載について、「即ち本出願に係る茶生葉管理機における取出部閉鎖装置の第一の発明は、スラットコンベヤ状のムーブフロアとその両側部から立ち上がる側板とを具えて成るコンテナ本体の取出端部に、巻取ドラムに巻き取られるとともに、繰り出し状態においてコンテナ本体の取出端部を閉鎖するシャッタ本体を設けたことを特徴として成るものである。」（本件特許公報２頁３欄２０〜２６行）とあるのを、
「即ち本出願に係る茶生葉管理機における取出部閉鎖装置の第一の発明は、スラットコンベヤ状のムーブフロアと
、
、内部に茶生葉を貯蔵できるようにした
側
　巻取ドラムに巻き取られるとともに、
ほぼ垂直に
た
、
　
更にこのシャッタ本体は、軸そのものが回転しながら且つ全体が上下に一定範囲昇降動する掻取軸と、貯蔵茶生葉との間を仕切るように配置されるものであり、
　
またこの掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され、
　
コンテナ本体における取出端部側の省スペース化を達成するようにし
　
（３） 訂正事項ｃ
　明細書の段落【００１４】の記載について、「両端部に設けたクランク機構が設けられる。」（本件特許公報３頁５欄１１〜１２行）とあるのを、
「両端部にクランク機構が設けられる。」と訂正する。
　
（４） 訂正事項ｄ
　明細書の段落【００１６】の記載について、「巻上ハンドル４６をを」（本件特許公報３頁５欄２５〜２７行）とあるのを、
「巻上ハンドル４６を」と訂正する。
　
２−２．訂正の目的の適否、新規事項の有無及び拡張・変更の存否
　上記訂正事項ａは、請求項１について、「コンテナ本体」、「シャッタ本体」の構成を具体的に限定するとともに、「掻取軸」の構成を新たに付加するものであるから、特許請求の範囲の減縮を目的とした明細書の訂正に該当する。
　上記訂正事項ｂは、上記訂正事項ａと整合を図るものであるから、明りょうでない記載の釈明を目的とした明細書の訂正に該当する。
　上記訂正事項ｃ及びｄは、重複している記載である「設けた」、「を」を削除するものであるから、誤記の訂正を目的とした明細書の訂正に該当する。
　そして、上記訂正事項ａの訂正における構成は、特許明細書の段落番号【０００８】、【０００９】、【００１２】、【００１４】、【００１５】、【００２２】、【００２４】に記載されているから、上記訂正事項ａないしｄは、新規事項の追加に該当せず、実質上特許請求の範囲を拡張し、又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．申立ての理由の概要
　特許異議申立人は、下記の証拠を提示し、本件発明の特許は次の理由により取り消されるべきである旨を主張している。
（１）本件請求項１ないし４に係る発明は、甲第１号証に記された発明に基づいて当業者が容易に発明をすることができたものであるから、特許法第２９条第２項の規定により特許を受けることができない。
　　　　　　　　　　　　　　記
甲第１号証：実願昭６２−１９８８３２号（実開平１−１０１３２４号）の　　　　　　マイクロフィルム 
参考資料：実公昭５９−２００３０号公報
　
３−２．引用刊行物
　当審が通知した平成１４年８月５日付けの取消理由通知では、本件発明の特許は次の理由により取り消されるべきである旨を通知した。
（１）本件請求項１ないし３に係る発明は、刊行物１ないし４に記載された発明に基づいて当業者が容易に発明をすることができたものであるから、特許法第２９条第２項の規定により特許を受けることができない。
　　　　　　　　　　　　　　記
刊行物１：実願昭６２−１９８８３２号（実開平１−１０１３２４号）のマ　　　　　イクロフィルム（甲第１号証）
刊行物２：実願昭６１−１６７２４９号（実開昭６３−７３４９６号）のマ　　　　　イクロフィルム
刊行物３：特開昭６３−１８４６８２号公報 
刊行物４：特開昭５９−８０８７８号公報
刊行物５：実願昭６１−１０５２７１号（実開昭６３−１０１９７号）のマ　　　　　イクロフィルム
刊行物６：特開昭６３−２６３１３３号公報
　
３−３．本件発明
　上記２．で示したように上記訂正が認められるから、本件特許第３２０８４９６号の請求項１ないし４に係る発明（以下、「本件発明１ないし４」という。）は、平成１４年１０月１５日に提出された訂正請求書に添付した明細書の特許請求の範囲の請求項１ないし４に記載された次のとおりのものである。
「【請求項１】　スラットコンベヤ状のムーブフロアと、その両側部から立ち上がる側板とを具え、内部に茶生葉を貯蔵できるようにしたコンテナ本体の取出端部側に、
　巻取ドラムに巻き取られるとともに、ほぼ垂直に繰り出した状態においてコンテナ本体の取出端部を閉鎖するシャッタ本体を設け、
　更にこのシャッタ本体は、軸そのものが回転しながら且つ全体が上下に一定範囲昇降動する掻取軸と、貯蔵茶生葉との間を仕切るように配置されるものであり、
　またこの掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され、
　コンテナ本体における取出端部側の省スペース化を達成するようにしたことを特徴とする茶生葉管理機における取出部閉鎖装置。
【請求項２】前記巻取ドラムのドラム軸には、巻取ドラムを巻上方向に付勢するバランサが設けられていることを特徴とする請求項１記載の茶生葉管理機における取出部閉鎖装置。
【請求項３】前記シャッタ本体は柔軟なシャッタシートに対し、一定間隔ごとに水平方向に補強桟を設けていることを特徴とする請求項１または２記載の茶生葉管理機における取出部閉鎖装置。
【請求項４】前記補強桟のうち基端部補強桟と自由端部補強桟は中間部補強桟に比べて太径とするとともに、基端部補強桟と自由端部補強桟との通過を阻むストッパを前記巻取ドラム側傍に設けたことを特徴とする請求項１、２または３記載の茶生葉管理機における取出部閉鎖装置。」
　
３−４．甲号証及び刊行物等に記載された発明
（１）上記甲第１号証（刊行物１）には、次の事項が記載されている。
(1-a).「通気性の無端輸送帯上に茶生葉を収容し、該無端輪送帯下面より送風して茶生葉を冷却保管する移動型管理手段からなる茶生葉管理装置に於いて、
　・・・茶生葉管理装置。」（実用新案登録請求の範囲）
(1-b).「移動型の茶生葉の管理手段１は、貯槽Ａの底面を通気性の無端輸送帯２で構成し、該無端輸送帯２の下面には風洞３が配設されており、ファン４を作動させることにより茶生葉を通風冷却する。」（４頁１１〜１４行）
(1-c).「そこで、茶生葉を貯槽Ａ内へ貯蔵する時は、管理手段１の送出端に配置された、巻き取り自在のシャッター１７を降ろし、投入を行なう。逆に、茶生葉を取出すときは、所定の管理手段１を設置枠１４の位置まで移動し、シャッター１７を巻き上げ、連結棒１１のコロ１２を駆動レバー９のコ字型部分に係合する。」（５頁９行〜１５行）
　
（２）上記刊行物２には、次の事項が記載されている。
(2-a).「上記巻取ドラム３には、第４図に示すように透光性，可撓性のある合成樹脂材よりなる長方形のシート20の上端が軸心方向に沿って固着されていて、巻取ドラム３の正逆回転によりシート20の繰り出し下降及び巻揚げ上昇の昇降が行なわれる。シート20の正面側には、チューブ状の多数のパイプ収容部24が一定間隔毎に横設され、各パイプ収容部24内には一定の剛性を有しできるだけ軽量のサポート管23が挿通され、シート20の左右方向の通直性を保っている。22は収容部24の両端でサポート管23を同心的に支持している支持部材である。」（６頁１〜１１行）
　
（３）上記刊行物３には、次の事項が記載されている。
(3-a).「釣合い錘り33は、シャッタ１が巻き戻される際には上昇し、シャッタ１がドラム25に巻き上げられる際は下がるようにチエインの走行部34aに懸吊されている。」（６頁右下欄１６〜１９行）
　
（４）上記刊行物４には、次の事項が記載されている。
(4-a).「ばね８１の一端をピン８２でレール３９に連結する。・・・ドアの他側にも釣り合いばね８１およびそれに関連したプーリとケーブルとがあるが、ドアの一側についてだけ図示してあり、これらは互いに鏡像をなすことを認識されたい。」（３頁左下欄１６行〜右下欄６行）
　
（５）上記刊行物５には、次の事項が記載されている。
(5-a).「ロープ４にシャッターカーテン２を常に引張作用させるバネ等の引張弾機８を設けると共に引張弾機８の一定以上の伸びを規制するストッパ機構９を設けている。」（５頁５〜８行）
　
（６）上記刊行物６には、次の事項が記載されている。
(6-a).「（２３）（２３）…は、遮光膜（２０）を構成する第１の表皮（２１）と第２の表皮（２２）との合わせ面の幅方向に等間隔に設けた帯状をした袋状部、（２４）（２４）…は遮光膜（２０）の使用時、遮光膜（２０）の垂れ下がりを防止するため、袋状部（２３）（２３）…にそれぞれ挿入される補強用のワイヤである。」（３頁右上欄１２〜１８行）
　
（７）上記参考資料には、次の事項が記載されている。
(7-a).「そして、該アーム１８，１８’は、モータ２４により中間軸２５を介して回転する前記クランク１６，１６’、ロツト２１，２１’機構により上下に揺動すると共に、該アーム先端の掻き落し軸２３も、該モータ２４により、中間軸２５に軸着したスプロケツト２６、および、前記支軸１７に遊嵌したダブルスプロケツト２７を介して回転駆動される。」（２頁３欄２０〜２６行）
　
３−３−２．対比・判断
（１）本件発明１について
　本件発明１と上記３−３−１．に摘記した事項から把握される甲第１号証、刊行物２ないし６、参考資料に記載された発明を比較すると、
　甲第１号証、刊行物２ないし６、参考資料に記載された発明は、少なくとも本件発明１を特定する事項である「この掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され」た点をまったく備えていない。そして、上記構成が自明であるとも、本件特許が出願された時点で周知であるということもできない。
　したがって、本件発明１は甲第１号証、刊行物２ないし６、参考資料に記載された発明から容易に発明をすることができたものとすることはできない。
　
（２）本件発明２について
　本件特許の請求項２は、同請求項１を引用しているところ、上記３−３−２．（１）において検討したとおり、本件発明１を、甲第１号証、刊行物２ないし６、参考資料に記載された発明から容易に発明をすることができたものとすることができない以上、本件発明２は本件発明１の下位概念の発明であるから、本件発明２も本件発明１と同様に、甲第１号証、刊行物２ないし６、参考資料に記載された発明から容易に発明をすることができたものとすることはできない。
　
（３）本件発明３について
　本件特許の請求項３は、同請求項１または２を引用しているところ、上記３−３−２．（１）及び上記３−３−２．（２）において検討したとおり、本件発明１及び２を、甲第１号証、刊行物２ないし６、参考資料に記載された発明から容易に発明をすることができたものとすることができない以上、本件発明３は本件発明１及び２の下位概念の発明であるから、本件発明３も本件発明１及び２と同様に、甲第１号証、刊行物２ないし６、参考資料に記載された発明から容易に発明をすることができたものとすることはできない。
　
（４）本件発明４について
　本件特許の請求項４は、同請求項１、２または３を引用しているところ、上記３−３−２．（１）ないし上記３−３−２．（３）において検討したとおり、本件発明１ないし３を、甲第１号証、刊行物２ないし６、参考資料に記載された発明から容易に発明をすることができたものとすることができない以上、本件発明４は本件発明１ないし３の下位概念の発明であるから、本件発明４も本件発明１ないし３と同様に、甲第１号証、刊行物２ないし６、参考資料の３に記載された発明から容易に発明をすることができたものとすることはできない。
　
３−４．むすび
　以上のとおりであるから、異議申立の理由及び証拠によっては本件発明１ないし４についての特許を取り消すことができない。
　また、他に本件発明１ないし４についての特許を取り消すべき理由を発見しない。
　したがって、本件発明１ないし４についての特許は拒絶の査定をしなければならない特許出願に対してされたものと認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年４月２１日（２００３．４．２１）
【訂正の要旨】
ａ．特許明細書中の
「請求項１　スラットコンベヤ状のムーブフロアとその両側部から立ち上がる側板とを具えて成るコンテナ本体の取出端部に、巻取ドラムに巻き取られるとともに、繰り出し状態においてコンテナ本体の取出端部を閉鎖するシャッタ本体を設けたことを特徴とする茶生葉管理機における取出部閉鎖装置。」
　を、特許請求の範囲の減縮を目的として、
「請求項１　スラットコンベヤ状のムーブフロアと
、
、内部に茶生葉を貯蔵できるようにした
　巻取ドラムに巻き取られるとともに、
ほぼ垂直方向に
た
、
　
更にこのシャッタ本体は、軸そのものが回転しながら且つ全体が上下に一定範囲昇降動する掻取軸と、貯蔵茶生葉との間を仕切るように配置されるものであり、
　
またこの掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され、
　
コンテナ本体における取出端部側の省スペース化を達成するようにし
　と訂正する。
ｂ．特許明細書第〔０００４〕欄の
「即ち本出願に係る茶生葉管理機における取出部閉鎖装置の第一の発明は、スラットコンベヤ状のムーブフロアとその両側部から立ち上がる側板とを具えて成るコンテナ本体の取出端部に、巻取ドラムに巻き取られるとともに、繰り出し状態においてコンテナ本体の取出端部を閉鎖するシャッタ本体を設けたことを特徴として成るものである。」
　を、明りょうでない記載の釈明を目的として、
「即ち本出願に係る茶生葉管理機における取出部閉鎖装置の第一の発明は、スラットコンベヤ状のムーブフロアと
、
、内部に茶生葉を貯蔵できるようにした
　巻取ドラムに巻き取られるとともに、
ほぼ垂直に
た
、
　
更にこのシャッタ本体は、軸そのものが回転しながら且つ全体が上下に一定範囲昇降動する掻取軸と、貯蔵茶生葉との間を仕切るように配置されるものであり、
　
またこの掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され、
　
コンテナ本体における取出端部側の省スペース化を達成するようにし
　と訂正する。
ｃ．特許明細書第〔００１４〕欄第２行目の「両端部に設けたクランク機構が設けられる。」を、誤記の訂正を目的として、「両端部にクランク機構が設けられる。」と訂正する。
ｄ．特許明細書第〔００１６〕欄第３行目の「巻上ハンドル４６をを」を、誤記の訂正を目的として、「巻上ハンドル４６を」と訂正する。
（５４）【発明の名称】
茶生葉管理機における取出部閉鎖装置
（５７）【特許請求の範囲】
　【請求項１】　スラットコンベヤ状のムーブフロアと
、
、内部に茶生葉を貯蔵できるようにした
　巻取ドラムに巻き取られるとともに、
ほぼ垂直に
た
、
　
更にこのシャッタ本体は、軸そのものが回転しながら且つ全体が上下に一定範囲昇降動する掻取軸と、貯蔵茶生葉との間を仕切るように配置されるものであり、
　
またこの掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され、
　
コンテナ本体における取出端部側の省スペース化を達成するようにし
　【請求項２】　前記巻取ドラムのドラム軸には、巻取ドラムを巻上方向に付勢するバランサが設けられていることを特徴とする請求項１記載の茶生葉管理機における取出部閉鎖装置。
　【請求項３】　前記シャッタ本体は柔軟なシャッタシートに対し、一定間隔ごとに水平方向に補強桟を設けていることを特徴とする請求項１または２記載の茶生葉管理機における取出部閉鎖装置。
　【請求項４】　前記補強桟のうち基端部補強桟と自由端部補強桟は中間部補強桟に比べて太径とするとともに、基端部補強桟と自由端部補強桟との通過を阻むストッパを前記巻取ドラム側傍に設けたことを特徴とする請求項１、２または３記載の茶生葉管理機における取出部閉鎖装置。
【発明の詳細な説明】
　【０００１】
　【発明の目的】
　【産業上の利用分野】
　本発明は茶生葉を摘採後、製茶工場で貯留しておくための茶生葉管理機に関するものであって、特にいわゆるコンテナタイプの茶生葉管理機における茶生葉の取出部閉鎖装置に係るものである。
　【０００２】
　【発明の背景】
　この種の茶生葉管理機にあってもスペースの有効活用を図る設計傾向となっており、例えばいわゆるコンテナタイプの茶生葉管理機では直接茶生葉の貯留に寄与する部分を充分確保するとともに、その取出部精査装置等いわば補機的部分をより小型化することが求められている。即ち従来この種の茶生葉管理機においてはコンテナ本体の取出側の端部には上方をヒンジとしたハッチタイプの鋼板製の閉鎖装置が設けられていた。しかしながらこのような従来の閉鎖装置はその重量も多いため開閉操作に大きな力を必要とするほか、開閉時にはその自由端が前方に張り出すためその分余分にスペースを確保しておかなければならず、結果的に省スペース化が達成できない状況にあった。
　【０００３】
　【開発を試みた技術的事項】
　本発明はこのような背景からなされたものであって、本発明者はスペースを要さずに且つ比較的軽く開閉操作ができる新規な茶生葉管理機における取出部閉鎖装置の開発を試みたものである。
　【０００４】
　【発明の構成】
　【目的達成の手段】
　即ち本出願に係る茶生葉管理機における取出部閉鎖装置の第一の発明は、スラットコンベヤ状のムーブフロアと
、
、内部に茶生葉を貯蔵できるようにした
　巻取ドラムに巻き取られるとともに、
ほぼ垂直に
た
、
　
更にこのシャッタ本体は、軸そのものが回転しながら且つ全体が上下に一定範囲昇降動する掻取軸と、貯蔵茶生葉との間を仕切るように配置されるものであり、
　
またこの掻取軸は、固定状態に形成されたコンテナ本体のフレームに対して、クランクアームとコネクティングロッドとを介して回動自在に接続され、掻取軸そのものが回転することによって、掻取軸に接続されたクランクアームが回転し、この回転に伴って、掻取軸が昇降動するように構成され、
　
コンテナ本体における取出端部側の省スペース化を達成するようにし
　【０００５】
　また本出願に係る茶生葉管理機における取出部閉鎖装置の第二の発明は、前記要件に加え、前記巻取ドラムのドラム軸には、巻取ドラムを巻上方向に付勢するバランサが設けられていることを特徴として成るものである。
　【０００６】
　更にまた本出願に係る茶生葉管理機における取出部閉鎖装置の第三の発明は、前記要件に加え、前記シャッタ本体は柔軟なシャッタシートに対し、一定間隔ごとに水平方向に補強桟を設けていることを特徴として成るものである。
　【０００７】
　更にまた本出願に係る茶生葉管理機における取出部閉鎖装置の第四の発明は、前記要件に加え、前記補強桟のうち基端部補強桟と自由端部補強桟は中間部補強桟に比べて太径とするとともに、基端部補強桟と自由端部補強桟との通過を阻むストッパを前記巻取ドラム側傍に設けたことを特徴として成るものである。
　これら発明により前記目的を達成しようとするものである。
　【０００８】
　【発明の作用】
　本発明にあっては巻取軸に巻き取られているシャッタ本体がほぼ垂直に垂れ下がり、ないしは巻き上げられるように構成され、シャッタ本体が繰り出されたときにコンテナ本体の取出部側を閉鎖して茶生葉のこぼれ出しを防ぐ。またバランサはシャッタ本体の巻取ドラムを巻上方向に付勢するものであり、軽い操作でシャッタ本体の繰出、巻取操作ができる。またシャッタ本体には補強桟が具えられているから、集積された茶生葉の側圧に充分耐えることができる。また補強桟のうち自由端部補強桟と基端部補強桟とが太径になっていることによりストッパによってそれ以上のシート本体の繰り出しないしは巻き取りを阻み、操作限界を簡単に告知するものである。
　【０００９】
　【実施例】
　以下本発明を図示の実施例に基づいて具体的に説明する。符号１は本発明が適用された茶生葉管理機であって、実質的に茶生葉を貯蔵するための主要部材であるコンテナ本体２と、このコンテナ本体２の取出側に設けられる取出装置３と、更にコンテナ本体２と取出装置３との境界部に設けられる取出部閉鎖装置４とを具え、これらが適宜フレーム５によって組み合わされて成るものである。尚、符号６は茶生葉Ａを次工程へ送る移送コンベヤである。
　【００１０】
　まずコンテナ本体２について簡単に述べると、このものは従来から公知の装置であって、茶生葉を支承するムーブフロア２０を底部に有する。このムーブフロア２０はスラットコンベヤ状のものであって、多数のスラット２１が前後両端のプーリ２２を巻回するように張設され、貯留した茶生葉Ａを順次送り出すことができるように構成されている。
　【００１１】
　このスラット２１には通気孔２１ａが設けられるとともに、貯留作用面下にはムーブフロア２０の長手方向を幾つかに区分した通気ボックス２３を設け、ここから貯留している茶生葉の冷却用の空気を前記通気孔２１ａから供給し得るように構成する。そしてムーブフロア２０の両側には充分茶生葉Ａを貯留できるように側板２５を立ち上げるとともに、取出装置３が設けられる側と反対側には妻板２６が設けられる。
　【００１２】
　次にこのようなコンテナ本体２に対して取り付けられる取出装置３について説明する。このものは掻取軸３０を主要部材として成るものであり、この掻取軸３０は多数の掻取片３０ａを有し回転駆動されながらコンテナ本体２の取出側においてガイドレール３１に案内されて上下に一定範囲移動する。即ち前記フレーム５に対して取り付けられた左右一対のガイドレール３１に対しては昇降フレーム３２がほぼ垂直方向に摺動自在に支持されるものであり、この昇降フレーム３２はそれぞれ左右双方に掻取軸３０の軸受３３を有する。尚この実施例では掻取軸３０は上下に二基（区別する場合には符号３０Ｉ、３０ＩＩとして示す）配しているものであるが、この設置基数については適宜増減し得る。従って軸受３３についても上下の掻取軸３０Ｉ、３０ＩＩに対応して上下に設けるものである。
　【００１３】
　このような掻取軸３０を駆動するためのモータＭを含んだ駆動部ユニット３４は前記昇降フレーム３２の一方の側のものの下方に設けられた駆動部マウント３２Ａに対して搭載されるものであり、その出力回転は下方の掻取軸３０ＩＩの端部に適宜ベベルギヤ等を介して伝達される。一方、この上下一対の掻取軸３０Ｉ、３０ＩＩは駆動部ユニット３４の反対側の端部においてそれぞれスプロケット３５Ｉ、３５ＩＩを具え、これら両者の間にチェーン３６が懸張された状態となる。従って駆動部ユニット３４からの回転を受けた下方の掻取軸３０ＩＩの回転はチェーン３６を介して上方の掻取軸３０Ｉに伝達される。
　【００１４】
　そしてこれら掻取軸３０を昇降させるための機構として上方の掻取軸３０Ｉの両端部にクランク機構が設けられる。即ち上方の掻取軸３０Ｉにはクランクアーム３７を設けるとともに、その上方におけるフレーム５には固定軸３８を設け、その固定軸３８と前記クランクアーム３７との間をコネクティングロッド３９によって接続させるものである。このような構成としたときには上方の掻取軸３０Ｉの回転に伴い、クランクアーム３７が回転するとこの動きはコネクティングロッド３９を介して固定軸３８に伝達されるが、固定軸３８が回動接続のみで上下方向には移動し得ないから相対的にクランクアーム３７側が昇降移動するようになるのである。この昇降移動は上下の掻取軸３０Ｉ、３０ＩＩ及び駆動部ユニット３４を支持する昇降フレーム３２全体の動きとなるのである。
　【００１５】
　次にコンテナ本体２の取出側において取出装置３との間を仕切るように設けられた本発明の特徴的構成部材である取出部閉鎖装置４について説明する。このものはいわゆる幕状部材であるシャッタ本体４０がほぼ垂直方向に引き出され、ないしは格納されてコンテナ本体２の取出側端部の開閉を行う。即ちシャッタ本体４０は充分剛性の高い合成樹脂フィルム等から成るシャッタシート４１に対し適宜み間隔で水平方向に補強桟４２を設けて成る。この補強桟４２は基端部補強桟４２Ａと自由端部補強桟４２Ｂとを共に太径のものとするとともに、中間部補強桟４２Ｃについてはこれより細径のものとする。そしてこの補強桟４２の端部はフレーム５に取り付けられたガイドレール４３によりその両端部が案内保持される状態となっている。
　【００１６】
　そしてシャッタ本体４０の昇降を行う部材として巻取ドラム４４をコンテナ本体２の上端部に設けるものであって、この巻取ドラム４４のドラム軸４５の端部に巻上ハンドル４６を設けるとともに、更にドラム軸４５には巻上操作を軽く行えるようにバランサ４７を設ける。即ちバランサ４７はドラム軸４５に巻き付けられるワイヤ４７Ａと、その一方の端部とをコンテナ本体２のフレーム５との間に張設されるスプリング４７Ｂとより成り、このスプリング４７Ｂの引張傾向の助けを得て軽く巻き上げがなされるように構成する。
　【００１７】
　更にこの巻取ドラム４４の下方側傍には杆状のストッパ４８を設けるものであり、このストッパ４８は巻取ドラム４４を囲むように設けられたカバー４９との間の間隙設定により前記シャッタシート４１の補強桟４２のうち基端部補強桟４２Ａと自由端部補強桟４２Ｂの太さよりは狭く、中間部補強桟４２Ｃの太さよりは広い間隔を保つように構成し、シャッタシート４１の繰り出しと巻き取りの限界をそれぞれ設定するように構成したものである。
　【００１８】
　本発明は以上述べたような構造を有するものであって、次のように作動する。まず茶生葉管理機１において茶生葉Ａを貯留するにあたっては、茶生葉管理機１の上方に設けられ適宜の位置に投入部を臨ませることができる投入装置によって、上方より茶生葉Ａをコンテナ本体２におけるムーブフロア２０上に投入する。このとき茶生葉Ａを次工程に移動させる必要がない場合、あるいは移動を阻止する必要がある場合は、まず本発明たる取出部閉鎖装置４におけるシャッタ本体４０を作動させシャッタシート４１でコンテナ本体２の取出側を閉鎖するような状態とする。
　【００１９】
　即ちシャッタシート４１はその巻取ドラム４４から充分に繰り出された状態となっており、その自由端側がコンテナ本体２におけるムーブフロア２０にほぼ接する位置まで垂下した状態に設定される。尚このとき、この繰り出しの限界状態においては補強桟４２のうち基端部補強桟４２Ａが前記ストッパ４８とカバー４９との間隙を通過し得ない状態で、その移動が停止された状態となっているのである。またこの適宜間隔に設けられた補強桟４２はその両端部においてガイドレール４３に嵌まるような状態となって保持され、集積した茶生葉Ａの側圧を受け止めるようにしているのである。尚、このときバランサ４７におけるワイヤ４７Ａはドラム軸４５に巻き付けられ、スプリング４７Ｂが伸張状態にある。
　【００２０】
　このような状態でコンテナ本体２に対し茶生葉Ａが適宜の量、集積され、更に次工程へ移動させる必要が生じた場合にはムーブフロア２０の移動とともに次のような動作がなされる。まずシャッタ本体４０におけるシャッタシート４１の開放がなされるとともに、取出装置３の運転が開始される。実際にはシャッタ本体４０をいきなり開放するのではなく、それに先立ち取出装置３の運転を開始していた方が望ましい。
　【００２１】
　まず取出部閉鎖装置４はシャッタ本体４０における巻取ドラム４４が、例えば巻上ハンドル４６を手動で操作されることによりシャッタシート４１を巻き取る方向に回転させ、これを上方に巻き取るようにする。そして巻取完了時にはシャッタシート４１における自由端部補強桟４２Ｂがストッパ４８とカバー４９との間隙を通過し得ない状態となってここに引っ掛かる状態となり、その巻取停止位置が規制される。尚このとき巻取負荷は前記バランサ４７におけるスプリング４７Ｂが伸張しており、それ自体収縮方向に付勢傾向にあることから、巻取ドラム４４のドラム軸４５に対し常に巻上方向へ幾分か付勢した状態となっており、その巻き上げは極めて軽くなされる。
　【００２２】
　このような状態で茶生葉Ａがコンテナ本体２の取出側端部に現れた状態となると、次に取出装置３によってその前端集積面が掻取軸３０における掻取片３０ａによって掻き取られるようになって次工程に送られる。ここで掻取軸３０の動きについて説明すると、適宜駆動部ユニット３４におけるモータＭの駆動力は下方の掻取軸３０ＩＩに伝達され、これを回転させるとともに、この回転はチェーン３６を介して上方の掻取軸３０Ｉに伝達される。一方、この上方の掻取軸３０Ｉの両端にはクランクアーム３７が設けられ、このものがコネクティングロッド３９を介して一例として上方の固定軸３８と接続されているから、上方の掻取軸３０Ｉは結果的に上下運動をするようになる。この運動に伴い上方の掻取軸３０Ｉを支持した昇降フレーム３２全体が昇降することとなり、結果的に昇降フレーム３２に搭載されている下方の掻取軸３０ＩＩ及び駆動部ユニット３４共に全体としてほぼ垂直方向に上下動することとなる。
　【００２３】
　従って一例として二本設けられた掻取軸３０Ｉ、３０ＩＩは回転とともに上下方向にも移動し、集積された茶生葉Ａの取出側の端面を万遍なく掻きほぐすようにして茶生葉Ａを次工程へ移送する移送コンベヤ６上に落下させてゆくのである。
　【００２４】
　【発明の効果】
　本発明たる取出部閉鎖装置４はシャッタ本体４０におけるシャッタシート４１をほぼ垂直方向に吊下状態に繰り出し及び巻き取り自在としたものであり極めて省スペース化を達成しながら且つ簡単な構成のもとにシャッタ装置を付設することができる。更に本発明にあってはシャッタ本体４０を巻き取る巻取ドラム４４に対しスプリングを具えたバランサ４７を付設しているから、巻取ドラム４４は常に巻取方向に付勢されており、シャッタ本体４０の荷重を軽減してその操作を軽い力で行うことができる。またシャッタ本体４０は補強桟４２を具えるからコンテナ本体２内に茶生葉Ａが積層された場合であっても、その側圧に充分に耐えることができる。更にまたシャッタ本体４０における補強桟４２のうち基端部補強桟４２Ａと自由端部補強桟４２Ｂを中間部補強桟４２Ｃより細径とすることによって、ストッパ４８により繰り出し、あるいは巻き取りの限界に至ったときにそれ以上の操作が行われないようにすることができる。
【図面の簡単な説明】
　【図１】
　本発明の取出部閉鎖装置を適用した茶生葉管理機を示す透視斜視図である。
　【図２】
　同上茶生葉の取出口付近を拡大して示す側面図である。
　【図３】
　同上取出装置の構造を示す斜視図である。
　【図４】
　同上作動機構を示す骨格的側面図である。
　【図５】
　同上掻取軸が上下動した状態を示す側面図である。
　【図６】
　本発明の取出部閉鎖装置の構造を示す斜視図である。
　【図７】
　同上作動原理を骨格的に示す説明図である。
　【符号の説明】
　　１　　　茶生葉管理機
　　２　　　コンテナ本体
　　３　　　取出装置
　　４　　　取出部閉鎖装置
　　５　　　フレーム
　　６　　　移送コンベヤ
　２０　　　ムーブフロア
　２１　　　スラット
　２１ａ　　通気孔
　２２　　　プーリ
　２３　　　通気ボックス
　２５　　　側板
　２６　　　妻板
　３０　　　掻取軸
　３０ａ　　掻取片
　３０Ｉ　　掻取軸（上方）
　３０ＩＩ　掻取軸（下方）
　３１　　　ガイドレール
　３２　　　昇降フレーム
　３２Ａ　　駆動部マウント
　３３　　　軸受
　３４　　　駆動部ユニット
　３５Ｉ　　スプロケット
　３５ＩＩ　スプロケット
　３６　　　チェーン
　３７　　　クランクアーム
　３８　　　固定軸
　３９　　　コネクティングロッド
　４０　　　シャッタ本体
　４１　　　シャッタシート
　４２　　　補強桟
　４２Ａ　　基端部補強桟
　４２Ｂ　　自由端部補強桟
　４２Ｃ　　中間部補強桟
　４３　　　ガイドレール
　４４　　　巻取ドラム
　４５　　　ドラム軸
　４６　　　巻上ハンドル
　４７　　　バランサ
　４７Ａ　　ワイヤ
　４７Ｂ　　スプリング
　４８　　　ストッパ
　４９　　　カバー
　　Ａ　　　茶生葉
　　Ｍ　　　モータ